(57)【要約】【課題】  照明光による収納物の劣化を抑制することができると共に、光による演出にて収納物を際立たせつつも落ちつきある部屋外観を得ることのできる収納棚を提供する。【解決手段】  背板２の前方に隙間Ｓを隔てて棚板３を配置する。隙間Ｓに臨む棚板３の後端面に後方に照明光Ｌを照射する照明器具４を沿設する。照明器具４の照明光Ｌで背板２の前面を照らすようにする。【選択図】        図１
2006198020.tif 000002
【特許請求の範囲】
【請求項１】
背板の前方に隙間を隔てて棚板を配置し、隙間に臨む棚板の後端面に後方に照明光を照射する照明器具を沿設し、照明器具の照明光で背板の前面を照らすようにしたことを特徴とする収納棚。
【請求項２】
照明器具にＬＥＤを用いたことを特徴とする請求項１記載の収納棚。
【請求項３】
隙間に臨む背板の前面部位に光拡散部材を配置し、照明器具の照明光を光拡散部材を介して背板の前面に照射したことを特徴とする請求項１記載の収納棚。
【発明の詳細な説明】
【技術分野】
【０００１】
本発明は、照明器具を備えた収納棚に関するものである。
【背景技術】
【０００２】
従来から、住宅内に配設される収納棚には、収納空間の前面に目くら板からなる扉を配置して収納物を部屋外観に現出させないで部屋外観をすっきり見せるための隠す収納や、収納空間の前面をオープンにしたり透光性板材でなる扉を配置して収納物を部屋外観に積極的に現出させて部屋外観に個性的なアクセントをつけるための見せる収納を図ったものがある。近年では個性的な部屋外観を求める傾向が強く、後者の見せる収納を図った収納棚が注目されている。見せる収納を図った収納棚１としては、たとえば図１２のように、収納スペースの上部の棚板３に照明器具４を装着し、下部の棚板３上に載置した収納物Ｂに対して照明器具４から下方に照射された照明光Ｌを当て、収納物Ｂを際立たせるような光による演出を図ったものが提案されている（たとえば特許文献１参照）。
【０００３】
しかしながら、上記のように直接照明で収納物Ｂを照らすものにあっては、照明光Ｌに含まれる紫外線や熱が直接収納物Ｂに当てられることから、長期的には収納物Ｂを劣化させる恐れがある。また、直接照明で収納物Ｂを照射することは、収納物Ｂ自体を光らせて目立たせるという店舗のショーケースに飾られた収納物Ｂのような外観を現出するものであり、光による演出にて収納物Ｂを際立たせつつも住居空間として適する落ちつきある部屋外観に仕上げることは難しいものであった。
【特許文献１】特開２００２−１８０５７２号公報
【発明の開示】
【発明が解決しようとする課題】
【０００４】
本発明は上記の従来の問題点に鑑みて発明したものであって、照明光による収納物の劣化を抑制することができると共に、光による演出にて収納物を際立たせつつも落ちつきある部屋外観を得ることのできる収納棚を提供することを課題とするものである。
【課題を解決するための手段】
【０００５】
上記課題を解決するために本発明の請求項１に係る収納棚１は、背板２の前方に隙間Ｓを隔てて棚板３を配置し、隙間Ｓに臨む棚板３の後端面に後方に照明光Ｌを照射する照明器具４を沿設し、照明器具４の照明光Ｌで背板２の前面を照らすようにしたことを特徴とする。これによると、照明器具４の照明光Ｌを少なくとも前方に照射させないように背板２の前面に向けて照射させることができ、この照明光Ｌが背板２の前面で反射して得られる間接照明の柔らかい光によって棚板３上の収納物Ｂを後方から照らすようにできるのであり、ここで、間接照明の柔らかい光には直接照明の強い光に比べて含有される紫外線や熱の量が少ないことから、照明光Ｌによる収納物Ｂの劣化を抑制できるのであり、また、照明器具４の照明光Ｌが少なくとも前方に照射されないから照明器具４の直接の照明光Ｌに邪魔されず、間接照明の柔らかい光を背にして該柔らかい光の中に収納物Ｂを浮かび上げるような光による演出の部屋外観が得られることから、収納物Ｂ自体を光らせて目立たせるという店舗のショーケースとは趣の異なる光による演出によって、収納物Ｂを際立たせつつも住居空間に適した落ちつきある部屋外観を得ることができる。
【０００６】
また、上記照明器具４にＬＥＤ５を用いたことも好ましい。これによると、ＬＥＤ５が照射する照明光Ｌには棒状の蛍光灯１１などに比べて指向性を持たせることが可能であり、確実に後方にのみ照明光Ｌを照射することができ、背板２での間接照明のコントラストを向上させることができる。
【０００７】
また、隙間Ｓに臨む背板２の前面部位に光拡散部材６を配置し、照明器具４の照明光Ｌを光拡散部材６を介して背板２の前面に照射したことも好ましい。これによると、前方から見て棚板３の陰になる棚板３の真後ろに照射された照明光Ｌを光拡散部材６を介して背板２の前面の広範囲を照らすようにできる。
【発明の効果】
【０００８】
本発明は、含有する紫外線や熱が少ない間接照明の柔らかい光の中に収納物を浮かび上げるという光の演出にて収納物を際立たせることができることから、照明光による収納物の劣化を抑制できると共に、収納物を際立たせつつも住居空間に適した落ちつきある部屋外観を得ることができる。
【発明を実施するための最良の形態】
【０００９】
以下、本発明を添付図面に示す実施形態に基いて説明する。
【００１０】
図２のように、居間に置かれるテレビボード等の収納家具Ａ内に設けた収納棚１は、背板２の前面に左右に所定間隔をあけて配設された側板７の間に上下に間隔をあけて複数の棚板３を架設して形成されている。詳しくは、背板２や側板７や棚板３はいずれも耐荷重性を備えた非透光性の木製板材で形成されており、棚板３は側板７の内面に沿設される両側端面の前後位置にそれぞれ上方に凹ませた引っ掛け凹部８が形成され、側板７の内面から内方に突設された係止突起９に引っ掛け凹部８を上方から引っ掛け係止させることで棚板３が側板７間に着脱自在に架設されている。なお、係止突起９は左右の側板７の間では同高さ位置の関係を有すると共に、側板７の上下の複数箇所に間隔を隔てて設けられている。すなわち、棚板３は、任意の係止突起９を選択して引っ掛け凹部８に係止させることで、上下の任意位置に配置可能にされている。
【００１１】
棚板３は、図１（ａ）のように、背板２との間に側板７間に亙るような隙間Ｓを生じるように配設されており、上記隙間Ｓに臨む棚板３の後端面に照明器具４が沿わされビス等の固定具を介して一定の取付強度を備えて取付けられている。ここで、図３のように本例の照明器具４の光源にはＬＥＤ５が用いられ、このＬＥＤ５は棚板３の左右方向の所定間隔毎に複数列設されており、後方にのみ向けて照明光Ｌを一様に照射可能にしている。なお、照明器具４への給電線４ａは収納家具Ａの後方より背板２に穿設した貫通孔１０を通って照明器具４に接続されている。そして、この照明器具４の照明光Ｌは、図１の矢印のように、隙間Ｓを通って背板２の前面の部位を照射し、この照明光Ｌの一部が背板２の前面で反射することで、収納棚１の奥部に間接照明が形成される。しかして、本例の収納棚１にあっては、図１（ｂ）のように、棚板３上に載置した収納物Ｂが間接照明の柔らかい光を背にして該柔らかい光の中に浮かび上がるような光による演出を現出することができるのであり、つまり収納物Ｂ自体を光らせて目立たせるという店舗のショーケースとは趣の異なる光による演出によって収納物Ｂを際立たせつつ、間接照明の柔らかい光が醸し出す住居空間に適した落ちつきある部屋外観を得ることができるのである。
【００１２】
ここで、照明器具４には棒状の蛍光灯１１を用いることもできるが、本例のようにＬＥＤ５を用いたことによると、省電力化を図ることができるのはもとより、図４のように、ＬＥＤ５の照明光Ｌは棒状の蛍光灯１１等に比べて指向性があるから確実に照明器具４の照明光Ｌを後方にのみ向けて照射することが可能であり、照明光Ｌが照射されない周囲に比べて背板２の前面での間接照明のコントラストを向上させることができ、部屋外観の外観向上に資することができる。無輪、照明器具４に棒状の蛍光灯１１を用いたとしても、照明器具４は棚板３の後端面に沿設されているから、照明器具４の照明光Ｌは少なくとも前方には照射されず、背板２での間接照明を際立たせることが確保されているのは言うまでもない。
【００１３】
また、間接照明の照明光Ｌは照明器具４から照射された照明光Ｌが背板２の前面で反射した柔らかい光であり、この柔らかい光には照明器具４から照射された照明光Ｌに比べて含有する紫外線や熱の量が照射された背板２に吸収された分だけ低減されている。特に本例のように反射する背板２が木質材等の紫外線や熱を吸収する材質であった場合には紫外線や熱の量を大幅に低減できる。しかして、本例の収納棚１のように収納物Ｂを照らすのが間接照明の柔らかい光であると、照明光Ｌに含まれる紫外線や熱による収納物Ｂの劣化を抑制できるという利点も有している。
【００１４】
更に言うと、本例の照明器具４は棚板３の後端面に固定されているので、任意の上下位置に棚板３を配置しても、変わらずにその箇所で間接照明をつくることができるのは言うまでもない。
【００１５】
また、図５のように、隙間Ｓに臨む背板２の前面部位に光拡散部材６を配置し、照明器具４の照明光Ｌを光拡散部材６を介して背板２の前面に照射させるようにすることも好ましい。なお、光拡散部材６としては、正面から照射された照明光Ｌを背板２に向けて反射させる反射面を備えた反射部材や、正面から照射された照明光Ｌを内部で背板２に向けて屈折させるプリズム等の屈折部材などで構成される。詳しくは、本例の光拡散部材６は、斜め上方に面する上反射面６ａと斜め下方に面する下反射面６ｂとを有した断面三角形状の反射部材で構成されており、照明器具４が棚板３の略真後ろに向けて照射した照明光Ｌを上下の反射面で反射させて前方から見える棚板３から離れた背板２の前面部位（棚板３を境にした背板２の上方部位及び下方部位）に向けて照射できるようにされている。なお、上反射面６ａ及び下反射面６ｂには鏡面処理が施されている。これによると、前方から見て棚板３の陰になる棚板３の真後ろに照射された照明光Ｌを光拡散部材６を介して棚板３から離れた背板２の前面部位に当てることができ、前方から見える背板２の前面部位へ照明器具４の照明光Ｌを効率良く行き届かせる、つまり照明光Ｌの背板２の前面への照射範囲を広げることができるのである。なお、本例では、棚板３の前後方向の長さ寸法を側板７の背板２からの前方への突出量に比べて短く形成すると共に棚板３の前端と背板２の前端とを面一にして配置したことで、棚板３と背板２との間に隙間Ｓを形成したものであるが、たとえば図６のように、棚板３の後部に左右両端を残して上下及び後方に開口せる切欠部１２を形成し、上記切欠部１２で隙間Ｓを形成してもよい。
【００１６】
また、図７や図８のように、後部に左右両端を残して下方及び後方に開口せる切欠凹部１３を形成した棚板３を用いても好ましい。この場合、この切欠凹部１３が棚板３と背板２との間に形成される上記隙間Ｓを構成することになるが、切欠凹部１３の上方の棚板３の表面部が上記隙間Ｓを上方から覆う覆い片１４を形成するのであり、すなわち棚板３を配設したときには、下方にのみ開口する隙間Ｓが棚板３と背板２との間に形成される。しかして、切欠凹部１３内の棚板３の後方に面する後端面に沿設した照明器具４から照射される照明光Ｌは、棚板３の下方における背板２の前面部位を照射するのであり、この背板２での間接照明によって棚板３に載置した収納物Ｂを斜め上方から照らすようにできる。先例同様に本例でも背板２での間接照明の柔らかい光の中に収納物Ｂを浮かび上がるような光による演出を現出することができるのであるが、間接照明の照明光Ｌが収納物Ｂを上方からのみ照らしているので収納物Ｂに陰を作ることができ、先例と多少趣を異ならせて収納物Ｂを際立たせつつ、住居空間に適した落ちつきある部屋外観を得ることができるのである。更に言うと、図９のように、背板２の隙間Ｓに臨む前面部位に光拡散部材６を配置し、照明器具４の照明光Ｌを前方から見える背板２の前面部位に効率良く行き届かせたり照明光Ｌの背板２の前面への照射範囲を広げたりして部屋外観の外観向上を図ることも好ましい。なお、上記隙間Ｓを上方から覆う覆い片１４は、棚板３に載置した収納物Ｂの落下を防止する観点からも好ましいものであり、また上記覆い片１４を別体のガラス板や透明樹脂板等の透光板材で形成してもよく、この場合には先例同様、背板２の前面における棚板３の上方部位及び下方部位に照明光Ｌをそれぞれ照射させることができる。
【００１７】
また、図１０のように、棚板３の後部における上面及び下面を透光板材で構成し、この上面と下面との間に中空部１５を形成し、中空部１５に臨む棚板３の後端面に照明器具４を沿設しても好ましい。この場合には、照明器具４が照射した照明光Ｌは、図１の例同様、透光板材を通過して背面の前面における棚板３の上方及び下方部位を照射することができるのである。これによると、棚板３と背板２との間の隙間Ｓを棚板３の上面及び下面からなる両覆い片１４で塞いだ中空部１５にて構成できるのであり、両覆い片１４によると隙間Ｓ内へのゴミや物体の入り込みを防止でき、照明器具４の照明光Ｌの背板２への安定照射を可能にすると共に照明器具４の耐久性も向上できるのである。なお、本例でも、図１１のように、背板２の隙間Ｓに臨む前面部位に光拡散部材６を配置し、照明器具４の照明光Ｌを前方から見える背板２の前面部位に効率良く行き届かせたり照明光Ｌの背板２の前面への照射範囲を広げたりして部屋外観の外観向上を図ることも好ましい。更に言うと、棚板３の下面を構成する覆い片１４を非透光板材で構成してもよく、この場合、照明器具４から照射される照明光Ｌは、棚板３の上方における背板２の前面部位を照射するのであり、この背板２での間接照明によって棚板３に載置した収納物Ｂを斜め下方から照らし上げるようにできる。つまり先例同様に本例でも背板２での間接照明の柔らかい光の中に収納物Ｂを浮かび上がるような光による演出を現出することができるのであるが、間接照明の光が収納物Ｂを下方からのみ照らしているので、文字通り収納物Ｂを浮かび上げたような陰を収納物Ｂに作ることができ、先例と多少趣を異ならせて収納物Ｂを際立たせつつ、住居空間に適した落ちつきある部屋外観を得ることができるのである。
【００１８】
なお、棚板３の側板７への架設構造としては、先例のように引っ掛け凹部８への係止突起９の引っ掛け係止構造に限るものではなく、たとえば図示はしないが棚板３の側端面に前後に亙る凸条を形成すると共に側板７の内面に前後に亙る凹条溝を形成し、凸条を凹条溝にスライド自在に係止させることで棚板３を側板７間に架設してもよい。このときには、図６の棚板３における後部の切欠部１２の残余部分１６や図７等の棚板３の覆い片１４が、棚板３と背板２と間に所定幅の隙間Ｓを確保するためのスペーサとして機能することができて好ましいのである。
【図面の簡単な説明】
【００１９】
【図１】本発明の実施の形態の例の収納棚であり、（ａ）は概略側断面図であり、（ｂ）は斜視図である。
【図２】同上の収納棚を備えた収納家具の斜視図である。
【図３】同上の照明器具であり、（ａ）は裏面図であり、（ｂ）は上面図であり、（ｃ）は正面図である。
【図４】ＬＥＤと棒状蛍光灯との照明光の違いを説明する説明図であり、（ａ）は側面から見た蛍光灯であり、（ｂ）は側面から見たＬＥＤである。
【図５】本発明の実施の形態の他例の収納棚の概略側断面図である。
【図６】本発明の実施の形態の更に他例の棚板の下方からの斜視図である。
【図７】本発明の実施の形態の更に他例の棚板の下方からの斜視図である。
【図８】同上の収納棚の概略側断面図である。
【図９】本発明の実施の形態の更に他例の収納棚の概略側断面図である。
【図１０】本発明の実施の形態の更に他例の収納棚の概略側断面図である。
【図１１】本発明の実施の形態の更に他例の収納棚の概略側断面図である。
【図１２】背景技術の例の収納棚の斜視図である。
【符号の説明】
【００２０】
１  収納棚
２  背板
３  棚板
４  照明器具
５  ＬＥＤ
６  光拡散部材
７  側板
Ｂ  収納物
Ｌ  照明光
Ｓ  隙間
【図１】
2006198020.tif 000003
【図２】
2006198020.tif 000004
【図３】
2006198020.tif 000005
【図４】
2006198020.tif 000006
【図５】
2006198020.tif 000007
【図６】
2006198020.tif 000008
【図７】
2006198020.tif 000009
【図８】
2006198020.tif 000010
【図９】
2006198020.tif 000011
【図１０】
2006198020.tif 000012
【図１１】
2006198020.tif 000013
【図１２】
2006198020.tif 000014